(57)【要約】【課題】取り扱いが容易であり、通気、通湿性を維持しつつ、防漏性に優れたペット用パンツを提供する。【解決手段】装着時にペットＰの腹に当接する腹当て部１１０と、腹当て部１１０の側端に形成され、装着時にペットＰの胴に巻き回して腹当て部を固定する胴周り固定帯１２０と、装着時にペットＰの背中に当接し、胴周り固定帯１２０に係止される背当て部１３０と、腹当て部１１０と背当て部１３０との間に形成され、装着時にペットＰの股に当接する股当て部１４０と、を備え、腹当て部１１０および股当て部１４０は、樹脂層Ｒの片側の表面に繊維層Ｃが密着された樹脂生地Ｆ１を有する。これにより、通気、通湿性を維持しつつ、パンツに防水機能をもたせ防漏性を向上させることができる。また、樹脂生地Ｆ１を薄くすることができる。【選択図】図１
2009039008.tif 000002
【特許請求の範囲】
【請求項１】
装着時にペットの腹に当接する腹当て部と、
前記腹当て部の側端に形成され、装着時にペットの胴に巻き回して前記腹当て部を固定する胴周り固定帯と、
装着時にペットの背中に当接し、前記胴周り固定帯に係止される背当て部と、
前記腹当て部と背当て部との間に形成され、装着時にペットの股に当接する股当て部と、を備え、
前記腹当て部および股当て部は、樹脂層の片側の表面に繊維層が密着された樹脂生地を有することを特徴とするペット用パンツ。
【請求項２】
前記腹当て部および股当て部は、前記樹脂生地および前記樹脂生地の繊維層側に重ねられる繊維生地を有することを特徴とする請求項１記載のペット用パンツ。
【請求項３】
前記背当て部は、両側端に突出する突出領域を有しており、前記突出領域には、装着時に胴周り固定帯に着脱可能な背当て側係止部を有することを特徴とする請求項１または請求項２記載のペット用パンツ。
【請求項４】
前記胴周り固定帯のペットに当接する側の面の一部には、第１の胴用係止部が設けられ、
前記腹当て部および前記胴周り固定帯のペットに当接しない側の面には、面全体にわたって第２の胴用係止部が設けられ、
装着時には、第１の胴用係止部と第２の胴用係止部とが係止されることにより胴周り固定帯が胴周りを固定することを特徴とする請求項１から請求項３のいずれかに記載のペット用パンツ。
【請求項５】
装着時にペットの背中に当接する背当て部と、
装着時にペットの腹に当接する腹当て部と、
前記背当て部の側端に形成され、装着時にペットの胴に巻き回して前記背当て部を固定する胴周り固定帯と、
前記腹当て部と背当て部との間に形成され、装着時にペットの股に当接する股当て部と、を備え、
前記腹当て部および股当て部は、樹脂層の片側の表面に繊維層が密着された樹脂生地を有することを特徴とするペット用パンツ。
【請求項６】
前記胴周り固定帯のペットに当接する側の面の一部には、第１の胴用係止部が設けられ、
前記背当て部および前記胴周り固定帯のペットに当接しない側の面には、面全体にわたって第２の胴用係止部が設けられ、
装着時には、第１の胴用係止部と第２の胴用係止部とが係止されることにより胴周り固定帯が胴周りを固定することを特徴とする請求項５記載のペット用パンツ。
【請求項７】
前記背当て部は、装着時にペットの背中全体を被覆可能な長さを有するペット用パンツであって、
前記背当て部を上側とし、前記腹当て部を下側としたとき、前記背当て部の上端に形成され、装着時にペットの首に巻き回して前記背当て部を固定する首周り固定帯を更に備えることを特徴とする請求項１から請求項６のいずれかに記載のペット用パンツ。
【請求項８】
前記首周り固定帯は、鉤形状に形成されており、
装着時には、前記首周り固定帯の先端が前記背当て部の上端に係止されることを特徴とする請求項７記載のペット用パンツ。
【請求項９】
前記背当て部は、ペットの尻から胴体の半分程度までを被覆可能な長さを有することを特徴とする請求項１から請求項６のいずれかに記載のペット用パンツ。
【請求項１０】
前記股当て部は、孔の周に沿ってリブが設けられている尻尾孔を有することを特徴とする請求項１から請求項９のいずれかに記載のペット用パンツ。
【発明の詳細な説明】
【技術分野】
【０００１】
本発明は、犬や猫等のペットに装着して使用するペット用パンツに関する。
【背景技術】
【０００２】
介護が必要なペットは、自力でトイレに行くことができず、尿を漏らすことがある。たとえば、老犬、老猫等にとっては、自力で排尿をコントロールすることは困難である。そのようなペットの体は、皮膚が尿の湿気で湿っぽくなる等、不衛生になりがちである。そして、体が不衛生であることがペットの健康を害する原因ともなる。
【０００３】
また、紙おむつがペットに使用されることもあるが、長時間紙おむつを使用すると、股間部の温度が上昇し、生殖器官の発育に悪影響を及ぼす場合がある。これに対し局部に当たる部分を通気性のある複数層のパッドでカバーするペット用オムツもある（特許文献１参照）。
【０００４】
たとえば、特許文献１記載のペット用オムツは、トップシートと、バックシートと、これら両シートに内包されている吸収体とを備えている。そして、吸収体が、腹当部の所定領域と腹当部とに連続して配置され、吸収体とバックシートとの間に、吸収体の全域を覆う防漏フィルムを備える。
【特許文献１】特開２００４−１９４５６６号公報
【発明の開示】
【発明が解決しようとする課題】
【０００５】
しかしながら、上記のようなペット用オムツは、局所的にシートや吸収体を設けているために、これらによりカバーされていない部分から尿が漏れる可能性がある。また、複数のシートや吸収体の層を重ねているため、ペットの股部にフィットし難く装着時の扱いが難しくなる。また、オムツが重くなり、ペットに与える質感も悪くなる。
【０００６】
本発明は、このような事情に鑑みてなされたものであり、取り扱いが容易であり、通気、通湿性を維持しつつ、防漏性に優れたペット用パンツを提供することを目的とする。
【課題を解決するための手段】
【０００７】
（１）上記の目的を達成するため、本発明に係るペット用パンツは、装着時にペットの腹に当接する腹当て部と、前記腹当て部の側端に形成され、装着時にペットの胴に巻き回して前記腹当て部を固定する胴周り固定帯と、装着時にペットの背中に当接し、前記胴周り固定帯に係止される背当て部と、前記腹当て部と背当て部との間に形成され、装着時にペットの股に当接する股当て部と、を備え、前記腹当て部および股当て部は、樹脂層の片側の表面に繊維層が密着された樹脂生地を有することを特徴としている。
【０００８】
このように、本発明のペット用パンツは、腹当て部および股当て部が、樹脂層の片側の表面に繊維層が密着された樹脂生地を有する。これにより、通気、通湿性を維持しつつ、パンツに防水機能をもたせ防漏性を向上させることができる。また、樹脂生地を薄くすることができ、さらに繊維生地を重ねて腹当て部および股当て部を形成することも可能となる。さらに、腹当て部の側端に形成される胴周り固定帯をペットの胴に回して背当て部で係止するため、ペットへの装着が容易である。
【０００９】
（２）また、本発明に係るペット用パンツは、前記腹当て部および股当て部が、前記樹脂生地および前記樹脂生地の繊維層側に重ねられる繊維生地を有することを特徴としている。
【００１０】
これにより、腹当て部および股当て部の強度が向上する。また、ペット用パンツの製造工程において、樹脂生地を先に作製し繊維生地を後で任意に選ぶことができ、工程の短縮化、柔軟化、コストの削減を図ることができる。
【００１１】
（３）また、本発明に係るペット用パンツは、前記背当て部が、両側端に突出する突出領域を有しており、前記突出領域には、装着時に胴周り固定帯に着脱可能な背当て側係止部を有することを特徴としている。これにより、背当て部をその突出領域で胴周り固定帯を覆うように係止することができ、ペット用パンツの安定した装着が可能になる。
【００１２】
（４）また、本発明に係るペット用パンツは、前記胴周り固定帯のペットに当接する側の面の一部には、第１の胴用係止部が設けられ、前記腹当て部および前記胴周り固定帯のペットに当接しない側の面には、面全体にわたって第２の胴用係止部が設けられ、装着時には、第１の胴用係止部と第２の胴用係止部とが係止されることにより胴周り固定帯が胴周りを固定することを特徴としている。腹当て部および胴周り固定帯のペットに当接しない側の面の面全体にわたって広範囲に第２の胴用係止部を設けることにより、胴周り固定帯を連結させたときに長さの調節が容易になる。
【００１３】
（５）また、本発明に係るペット用パンツは、装着時にペットの背中に当接する背当て部と、装着時にペットの腹に当接する腹当て部と、前記背当て部の側端に形成され、装着時にペットの胴に巻き回して前記背当て部を固定する胴周り固定帯と、前記腹当て部と背当て部との間に形成され、装着時にペットの股に当接する股当て部と、を備え、前記腹当て部および股当て部は、樹脂層の片側の表面に繊維層が密着された樹脂生地を有することを特徴としている。
【００１４】
このように、本発明のペット用パンツは、腹当て部および股当て部が、樹脂層の片側の表面に繊維層が密着された樹脂生地を有する。これにより、通気、通湿性を維持しつつ、パンツに防水機能をもたせ防漏性を向上させることができる。また、樹脂生地を薄くすることができ、さらに繊維生地を重ねて腹当て部および股当て部を形成することも可能となる。
【００１５】
（６）また、本発明に係るペット用パンツは、前記胴周り固定帯のペットに当接する側の面の一部には、第１の胴用係止部が設けられ、前記背当て部および前記胴周り固定帯のペットに当接しない側の面には、面全体にわたって第２の胴用係止部が設けられ、装着時には、第１の胴用係止部と第２の胴用係止部とが係止されることにより胴周り固定帯が胴周りを固定することを特徴としている。背当て部および胴周り固定帯のペットに当接しない側の面の面全体にわたって広範囲に第２の胴用係止部を設けることにより、胴周り固定帯を連結させたときに長さの調節が容易になる。
【００１６】
（７）また、本発明に係るペット用パンツは、前記背当て部が、装着時にペットの背中全体を被覆可能な長さを有するペット用パンツであって、前記背当て部を上側とし、前記腹当て部を下側としたとき、前記背当て部の上端に形成され、装着時にペットの首に巻き回して前記背当て部を固定する首周り固定帯を更に備えることを特徴としている。
【００１７】
このように、本発明のペット用パンツは、背当て部が首まで背中を覆う形態を有しており、首周り固定帯によりペットの全身に固定可能となっている。これにより、嫌がって暴れるペットに対しても本発明のペット用パンツを簡単に装着することができる。たとえば、胴回り固定帯で先に胴回りを固定し、次に首周り固定帯で首周りを固定することで、装着が容易になる。また、首に固定して装着されたペット用パンツは、ずれ難くなり、排泄物が漏れ難くなる。また、背当て部のデザイン次第で外観の印象が向上する。
【００１８】
（８）また、本発明に係るペット用パンツは、前記首周り固定帯が、鉤形状に形成されており、装着時には、前記首周り固定帯の先端が前記背当て部の上端に係止されることを特徴としている。これにより、首周り固定帯が首の形状にフィットしやすくなり背当て部のペットへの装着が容易になる。
【００１９】
（９）また、本発明に係るペット用パンツは、前記背当て部が、ペットの尻から胴体の半分程度までを被覆可能な長さを有することを特徴としている。これにより、簡易にパンツをペットに装着することができる。また、背当て部が短く、首周り固定帯が不要な分だけ、材料費、加工費を低くし、工程を省くことができるため、安価にペット用パンツを作製することができる。
【００２０】
（１０）また、本発明に係るペット用パンツは、前記股当て部が、孔の周に沿ってリブが設けられている尻尾孔を有することを特徴としている。これにより、尻尾が尻尾孔にフィットし、排泄物が尻尾孔から漏れにくくなる。また、股当て部がペットの股間からずれにくくなるとともに、ペット用パンツの外観が向上する。
【発明の効果】
【００２１】
本発明によれば、通気、通湿性を維持しつつ、パンツに防水機能をもたせ防漏性を向上させることができる。また、樹脂生地を薄くすることができ、さらに繊維生地を重ねて腹当て部および股当て部を形成する生地とすることができる。さらに、ペットへの装着が容易となる。
【発明を実施するための最良の形態】
【００２２】
次に、本発明の実施の形態について、図面を参照しながら説明する。説明の理解を容易にするため、各図面において同一の構成要素に対しては同一の参照番号を付し、重複する説明は省略する。
【００２３】
（実施形態１）
（全体構成）
図１は、展開した状態のペット用パンツ１００の平面図（装着時の外側から見た図）、図２は、展開した状態のペット用パンツ１００の底面図（装着時のペット当接側から見た図）である。ペット用パンツ１００は、腹当て部１１０、胴周り固定帯１２０、背当て部１３０、股当て部１４０、首周り固定帯１５０により構成されている。以下、背当て部１３０を上側、腹当て部１１０を下側とし、ペットＰに当接する側を内側、その反対側を外側と呼ぶ。
【００２４】
腹当て部１１０は、装着時にペットＰの腹に当接する部分であり、その側端が一対の胴周り固定帯１２０に接続している。腹当て部１１０の内側には、メッシュにより形成されたポケット１１５が設けられている。このポケット１１５に吸水パッドを挿入することにより、股当て部１４０の内側に吸水パッドを設置することが可能になる。メッシュのポケット１１５の横幅は、設計時に必要に応じて変更することが可能である。たとえば、メッシュのポケット１１５の横幅を大きくすることで、尿を受け止める部分を広げて漏れ防止を図ることができる。なお、メッシュのポケット１１５は、設けなくてもよい。
【００２５】
胴周り固定帯１２０は、腹当て部１１０の両側端に縫合されている。それぞれの胴周り固定帯１２１、１２２は、ペットＰの背中に十分届く長さを有し、ペットＰの胴体に巻き回して互いに重ねることが可能となっている。胴周り固定帯１２１、１２２において、ペットＰの腹部に当接する側（内側）の面には肌触りのよいコットン層が設けられていてもよい。腹当て部１１０および胴周り固定帯１２０の外側には、面全体にわたってメスの面ファスナー１２９（第２の胴用係止部）が設けられている。面全体にメスの面ファスナーを設けることにより、胴周り固定帯を連結させたときに長さの調節が容易になる。一方の胴周り固定帯１２２は、内側の面にオスの面ファスナー１２５（第１の胴用係止部）を備えている。オスの面ファスナー１２５は、面全体に設ける必要はなく、胴周り固定帯１２０を連結するときに、その連結に必要な面積があればよい。なお、図１および図２において、実際は見えない裏面の位置にある面ファスナーは破線で示されている（以下同様）。
【００２６】
背当て部１３０は、装着時にペットＰの背中に当接する。背当て部１３０は、両側端に膨らんだ突出領域１３１、１３２を有し、その内側の面にオスの面ファスナー１３３、１３４（背当て側係止部）を有している。これらのオスの面ファスナー１３３、１３４は、腹当て部１１０および胴周り固定帯１２０の外側に設けられたメスの面ファスナー１２９（帯側係止部）に着脱可能である。このように、背当て部１３０は、胴周り固定帯１２０に連結可能であるため、ペット用パンツ１００の装着が容易となる。なお、面ファスナーのオス・メスは入れ替えてもよいが、その場合面ファスナー１２５についてもオス・メスを入れ替える必要がある。また、上記のように面ファスナーを突出領域１３１、１３２に設けていることにより、背当て部１３０の突出領域１３１、１３２で胴周り固定帯を覆うように係止することができ、ペット用パンツの安定した装着が可能になる。なお、突出領域の突出の程度は、胴周りのサイズ調整の幅を広げるため小さくしてもよいし、外観等を考慮し大きくしてもよい。
【００２７】
背当て部１３０は、装着時にペットＰの首元まで届くほどに長く形成されており、その上端には、鉤形状の首周り固定帯１５０が設けられている。首周り固定帯１５０の先端の内側には、オスの面ファスナー１５３（首用係止部）が形成されており、背当て部１３０の上側端の外側には、メスの面ファスナー１５４（首用係止部）が形成されている。
【００２８】
首周り固定帯１５０は、背当て部１３０の延長に設けられる。製造工程では、首周り固定帯１５０と背当て部１３０とが縫合される。なお、首周り固定帯１５０および背当て部１３０を同じ生地から切り抜いて背当て部１３０と一体で形成してもよい。なお、首周り固定帯１５０は、直線状の帯の両端にオス・メスの面ファスナーを設けたものであってもよいし、背当て部１３０上端の左右の側端から上に向かって略平行に伸びた形状で、先端にオス・メスの面ファスナーを設けたものであってもよい。
【００２９】
股当て部１４０は、装着時にペットＰの股に当接する部分であり、ペットＰの尻尾が当たる位置に円形の尻尾孔１４２が設けられている。尻尾孔１４２には、リブ１４３が孔の周に沿って、設けられている。これにより、尻尾が尻尾孔１４２にフィットし、排泄物が尻尾孔１４２から漏れにくくなる。また、股当て部１４０がペットＰの股間からずれにくくなるとともに、ペット用パンツ１００の外観が向上する。なお、尻尾孔１４２の形状を円形にすることで、健康体のペットＰは糞をし易くなる。尻尾孔１４２の形状は、円形に限定されず楕円であってもよい。
【００３０】
腹当て部１１０の上下の大きさおよび胴周り固定帯１２０の帯幅を太くすることで、オスのペットの生殖器がペット用パンツ１００からはみ出るのを防止することができる。股当て部１４０の側端は、ペット用パンツ１００の中心線に向かって凹んだ輪郭を有している。この側端の輪郭の凹みの程度を適度に小さくすることにより、ペット用パンツ１００をペットＰに装着したときの外観が向上する。また、股当て部１４０の側端にパイピング部分を形成し、ゴムを入れることで、ペット用パンツ１００をペットＰの足口にフィットさせ、排泄物の漏れを防止することも可能である。
【００３１】
股当て部１４０は、両側端にマチ部１４５、１４６を有している。マチ部１４５、１４６は、立体ギャザー状に形成されており、ペットＰへの装着時には足の付け根に隙間なく当接し、尿の漏れを防止する。また、メッシュのポケット１１５を２つ設けても良い。これにより、吸水パッドの両端を固定しずれないように設置することができる。また、吸水パッドの取替えが容易になる。図３は、メッシュのポケットを腹当て部１１０と股当て部１４０の両方に設けたペット用パンツの一部を示す底面図である。
【００３２】
樹脂層Ｒを含む樹脂生地Ｆ１は切替線１１１、１１２、１３６で囲まれた腹当て部１１０および股当て部１４０に用いられ、繊維生地Ｆ３が、背当て部１３０に用いられている。このように生地の切替えを行うことでペット用パンツ１００の通気性を高くし、重量を軽くすることができる。切替線１１１、１１２、１３６は必ずしも図示された位置に設ける必要はなく、防水が必要となる領域を覆うことができるように設計すればよい。以下にペット用パンツ１００に用いられる生地について説明する。
【００３３】
（生地）
図４は、腹当て部１１０または股当て部１４０に用いられる樹脂生地Ｆ１の断面図である。腹当て部１１０または股当て部１４０に用いられる樹脂生地Ｆ１は、樹脂層Ｒの片面に繊維層Ｃが固着されて形成されている。このように防漏性の優れた樹脂層Ｒと通気、通湿性の優れた繊維層Ｃとが一体となった樹脂生地Ｆ１を腹当て部１１０または股当て部１４０に用いているため、ペット用パンツ１００の通気、通湿性を維持しつつ、防漏性を向上させることができる。また、ペットＰへの装着が容易であり、ペットＰへ与える質感も良くなる。
【００３４】
腹当て部１１０および股当て部１４０は、樹脂層Ｒの片側の表面に繊維層Ｃが密着された樹脂生地Ｆ１を有する。樹脂層Ｒは、樹脂で形成された層であり、工程を簡易にするため熱硬化性の樹脂で形成されていることが好ましい。樹脂層Ｒは、天然複合ゴム製であることが好ましく、さらにはポリウレタン系樹脂製であることが好ましい。このように樹脂層Ｒに天然の環境保護材料を使用しているため、質感が良くなり、さらには廃棄による影響が低減される。樹脂層Ｒの厚みは０．１〜１ｍｍ程度であることが好ましい。樹脂層Ｒを薄く形成することで、軽くて薄く、質感のよいペット用パンツ１００を作製することができる。
【００３５】
繊維層Ｃは、繊維で形成された層であり、必ずしもコットン製である必要はないが仕入れ肌触り等を考慮するとコットン製であることが好ましい。また、コスト等を考慮して繊維層Ｃにポリエステル製の繊維層を用いることもできる。繊維層Ｃは、繊維で形成されており、通気性および通湿性に優れている。繊維層Ｃは、０．１〜１ｍｍ程度の厚みを有しており、樹脂層Ｒの両面に固着している。繊維層Ｃの存在により、通気性および通湿性が向上し、水分が生地に浸透しても生地と皮膚との間に湿気を生じさせず、細菌の繁殖を防ぐことができる。さらには、通気性により股間部の温度上昇を防止し、生殖器発育不良を防ぐことができる。
【００３６】
腹当て部１１０または股当て部１４０の生地は、樹脂生地Ｆ１の上に繊維生地Ｆ２を重ねたものである。このとき、内側（ペット側）を樹脂層Ｒ、外側は繊維生地Ｆ２とするのが好ましい。樹脂層Ｒの両側に繊維層Ｃを密着させた生地を用いてもよいが、その場合には３層一体の生地の完成を待ってペット用パンツ１００の作製にとりかかるため、製造の効率が低下する。本発明のように生地を重ねてペット用パンツ１００を作製することで、それぞれの生地について先に工程に取り掛かることが可能となり、製造効率が向上する。
【００３７】
（製造方法）
次に、このように構成されているペット用パンツ１００の製造方法の一例を説明する。まず、腹当て部１１０、股当て部１４０の生地を作製する。そのために、コットン等の繊維シート上に所定温度以上のポリウレタン等の樹脂を塗布し、冷却することで２層を固着させる。このように、繊維層Ｃの表面に樹脂層Ｒを塗布するため、生地が一体化し、質感のよい仕上がりとなる。また、一体化した生地を用いるので、製造が容易になる。次いで、作製された樹脂生地Ｆ１と繊維生地Ｆ２をあらかじめ設計しておいた腹当て部１１０および股当て部１４０の形状に切り取る。そして、切り取った生地の所定箇所に円形の尻尾孔１４２を型抜きする。尻尾孔１４２には、装着時に尻尾がフィットするよう外側に向けてリブ１４３を設ける。
【００３８】
そして、これらの生地に背当て部１３０の生地を縫合する。そして、背当て部１３０の側端に胴周り固定帯１２０を縫合する。なお、胴周り固定帯１２０および腹当て部１１０の外側面全体にはメスの面ファスナー１２９、胴周り固定帯１２０の内側の一部にはオスの面ファスナー１２５をあらかじめ縫い付けておく。次いで、股当て部１４０および腹当て部１１０がペットＰの股、腹に合うように、それらの側端にギャザー形状のマチ部１４５、１４６を立体縫製により設ける。このようにして、ペット用パンツ１００を製造することができる。ペット用パンツ１００は構造的にシンプルであるため、製造も容易である。
【００３９】
（使用方法）
次に、ペット用パンツ１００の使用方法を説明する。装着の際には、まず、ペット用パンツ１００をペットＰの後ろからペットＰの体にあてがい、腹側から胴周り固定帯１２０をそれぞれペットＰの背中側に巻き回して、互いの胴周り固定帯１２０を面ファスナーで連結する。次いで、尻尾孔１４２からペットＰの尻尾を外に出す。そして、背当て部１３０を胴周り固定帯１２０に合わせて、胴周り固定帯１２０の外側のオスの面ファスナー１２９に背当て部１３０内側のメスの面ファスナーを連結する。そして、背当て部１３０を首元に合わせる。そして首の太さに合わせて首周り固定帯で首を固定して装着を完了する。このように装着することで、容易にペット用パンツ１００をペットＰに装着することができる。このようにして、先に胴周り固定帯１２０を連結することにより、嫌がって暴れるペットＰに対してもペット用パンツ１００をしっかりと、かつ容易に装着することができる。
【００４０】
図５は、装着時にペット用パンツ１００をペットＰの側面から見た図である。図５に示すように、マチ部１４５、１５５が設けられているために、足の付け根部分でペット用パンツ１００がペットＰの体に密着し、防漏の効果が向上する。図５に示すように、装着時には、ペット用パンツ１００は、ペットＰに密着した状態で固定される。ペットＰは、股当て部１４０の尻尾孔１４２から尻尾を出しており、尻尾孔１４２にはリブ１４３が設けられているため、ペットＰが排尿したときにも、尿が尻尾孔１４２から漏れ難い。
【００４１】
（実施形態２）
上記の実施形態では、背当て部１３０が装着時にペットの背中全体を被覆できる長さを有するが、ペットの尻から胴体の半分程度までを被覆できる長さを有していてもよい。図６は、展開した状態のペット用パンツ２００の平面図、図７は、展開した状態のペット用パンツ２００の底面図である。ペット用パンツ２００は、首周り固定帯を有していない。
【００４２】
腹当て部２１０の側端は一対の胴周り固定帯２２０に接続している。胴周り固定帯１２１、１２２は、ペットＰの背中に十分届く長さを有し、ペットＰの胴体に巻き回して互いに重ねることが可能となっている。腹当て部２１０および胴周り固定帯２２０の外側の面全体にわたって、メスの面ファスナー２２９（第２の胴用係止部）が設けられている。一方の胴周り固定帯２２２は、内側の面にオスの面ファスナー２２５（第１の胴用係止部）を備えている。
【００４３】
背当て部２３０は、装着時にペットＰの背中に当接する。背当て部２３０は、両側に膨らんだ突出領域２３１、２３２の内側の面にオスの面ファスナー２３３、２３４（背当て側係止部）を有している。これらのオスの面ファスナー２３３、２３４は、腹当て部２１０および胴周り固定帯２２０の外側に設けられたメスの面ファスナー２２９（帯側係止部）に着脱可能である。背当て部２３０は、ペットの尻から胴体の半分程度までを被覆できる長さを有している。
【００４４】
股当て部２４０は、装着時にペットＰの股に当接する部分であり、ペットＰの尻尾が当たる位置に尻尾孔２４２が設けられている。尻尾孔２４２には、リブ２４３が孔の周に沿って、設けられている。股当て部２４０の側端は、ペット用パンツ２００の中心線に向かって凹んだ輪郭を有している。股当て部２４０は、両側端にマチ部２４５、２４６を有している。マチ部１４５、１４６は、立体ギャザー状に形成されている。
【００４５】
図８は、装着時にペット用パンツ２００をペットＰの側面から見た図である。ペット用パンツ２００をペットに装着する際には、まず、ペット用パンツ２００をペットＰの後ろからペットＰの体にあてがい、腹側から胴周り固定帯２２０をそれぞれペットＰの背中側に巻き回して、互いの胴周り固定帯２２０を面ファスナーで連結する。次いで、尻尾孔からペットＰの尻尾を外に出す。そして、背当て部２３０を胴周り固定帯２２０に合わせて、胴周り固定帯２２０の外側のメスの面ファスナー２２９に背当て部２３０内側のオスの面ファスナーを連結する。そして胴周り固定帯２２０により胴周りにペット用パンツ２００を固定し、腹当て部２１０を胴周り固定帯２２０に連結することで股から腹までにパンツを固定して装着を完了する。
【００４６】
（実施形態３）
上記の実施形態では、胴周り固定帯が腹当て部の両側端に接続されているが、背当て部の両側端に接続されていてもよい。図９は、展開した状態のペット用パンツ３００の斜視図である。ペット用パンツ３００は、背当て部３１０、首周り固定帯３１５、胴周り固定帯３２０、股当て部３４０、腹当て部３５０により構成されている。背当て部３１０は、装着時にペットの背中に当接する部分であり、その側端が胴周り固定帯３２１、３２２に接続している。
【００４７】
背当て部３１０は、その側端が胴周り固定帯３２０に接続している。背当て部３１０は、ペットＰの首元まで届くほどに長く形成されており、その上端には、首周り固定帯３１５が設けられている。首周り固定帯３１５の先端の内側には、オスの面ファスナー３１７（首用係止部）が形成されており、背当て部３１０の外側には、メスの面ファスナー３１８（首用係止部）が形成されている。
【００４８】
股当て部３４０は、ペットの尻尾が当たる位置に尻尾孔３４２が設けられている。この尻尾孔３４２は、円形であり、円周に沿ってリブ３４３が設けられている。腹当て部３５０は、下端のそれぞれ両側端部の内側（ペット側）の面に２つのオスの面ファスナー３５３、３５４（腹当て側係止部）を有している。面ファスナー３５３、３５４は、胴周り固定帯３２０の外側に設けられた図示しないメスの面ファスナー（帯側係止部）に着脱可能である。
【００４９】
股当て部３４０および腹当て３５０は、両側端にマチ部３４５、３４６を有している。また、股当て部３４０および腹当て３５０は、図１に示すように、ペット用パンツ３００を展開した状態において、立体縫製により内側に丸まった形状を有している。なお、腹当て部３５０の下端にゴムを挿入し、下端部分を伸縮自在にすることで、胴周り固定帯３２０との係止領域を調整することも可能である。
【００５０】
一対の胴周り固定帯３２１、３２２は、背当て部３１０の側端に縫合されている。胴周り固定帯３２０の外側の面全体には、図示しないメスの面ファスナー（第２の胴用係止部）が設けられている。他方の胴周り固定帯３２０は、内側の面にオスの面ファスナー３２５（第１の胴用係止部）を備えている。
【００５１】
次に、ペット用パンツ３００の使用方法を説明する。装着の際には、まず、ペット用パンツ３００をペットの後ろからペットの体にあてがい、胴周り固定帯３２１、３２２をそれぞれペットの腹側に巻き回して、互いの固定帯を面ファスナーで連結する。次いで、尻尾孔３４２からペットの尻尾を外に出す。そして、腹当て部３５０を胴周り固定帯３２１、３２２の外側のメスの面ファスナー（図示せず）に腹当て部３５０内側のオスの面ファスナー３５３、３５４を連結する。そして、首周り固定帯３１５を首に回して装着を完了する。
【００５２】
上記のように、ペット用パンツは、胴周り固定帯が対に設けられており、ペット用パンツの装着時にペットの腹側で両固定帯の係止部を連結させる形態が好適であるが、１本の固定帯のみを背当て部の一方の側端に設け、胴周りに巻き回して他方の側端で連結する形態としてもよい。
【００５３】
なお、上記の実施形態では、股当て部および腹当て部のみがこのような生地で形成されているが、全体が樹脂層の両面に繊維層が固着された生地で形成されていてもよい。排出された尿が浸透するのは主に股当て部および腹当て部であるため、股当て部および腹当て部のみに上記生地が用いられても通湿性、防漏性は向上する。また、２つの面ファスナーを両側端部に設けると効率がよいが、配置は必ずしもこれに限定されず、面ファスナーの数も１つまたは３つ等であってもよい。また、上記の実施形態では、腹当て部および胴周り固定帯の外側の面全体にわたって、メスの面ファスナーが設けられているが、必ずしも面全体にメスの面ファスナーを設ける必要はなく、胴周り固定帯のみに設ける等、必要に応じて形態を設計することができる。
【図面の簡単な説明】
【００５４】
【図１】実施形態１に係るペット用パンツの平面図である。
【図２】実施形態１に係るペット用パンツの底面図である。
【図３】実施形態１に係るペット用パンツの一部を示す底面図である。
【図４】腹当て部または股当て部に用いられる生地の断面図である。
【図５】実施形態１に係るペット用パンツをペットの側面から見た図である。
【図６】実施形態２に係るペット用パンツの平面図である。
【図７】実施形態２に係るペット用パンツの底面図である。
【図８】実施形態２に係るペット用パンツをペットの側面から見た図である。
【図９】実施形態３に係るペット用パンツの斜視図である。
【符号の説明】
【００５５】
１００、２００、３００  ペット用パンツ
１１０、２１０、３５０  腹当て部
１１１  切替線
１１５  ポケット
１２０、１２１、１２２、２２０、２２１、２２２、３２０、３２１、３２２  胴周り固定帯
１２５、２２５、３２５  面ファスナー（第１の胴用係止部）
１２９、２２９  面ファスナー（第２の胴用係止部）
１３３、１３４、２３３、２３４  面ファスナー（背当て側係止部）
１５３、１５４、３１７、３１８  面ファスナー（首用係止部）
３５３、３５４  面ファスナー（腹当て側係止部）
１３０、２３０、３１０  背当て部
１３１、１３２  突出領域
１４０、２４０、３４０  股当て部
１４２、２４２、３４２  尻尾孔
１４３、２４３、３４３  リブ
１４５、１４６、２４５、２４６、３４５、３４６  マチ部
１５０、３１５  首周り固定帯
Ｆ１  樹脂生地
Ｆ２  繊維生地
Ｆ３  繊維生地
Ｐ  ペット
Ｒ  樹脂層
Ｃ  繊維層
【図１】
2009039008.tif 000003
【図２】
2009039008.tif 000004
【図３】
2009039008.tif 000005
【図４】
2009039008.tif 000006
【図５】
2009039008.tif 000007
【図６】
2009039008.tif 000008
【図７】
2009039008.tif 000009
【図８】
2009039008.tif 000010
【図９】
2009039008.tif 000011